(57)【特許請求の範囲】
【請求項１】
所定の通信エリアが設定された基地局と、前記基地局の前記通信エリア外に設けられた子局と、前記基地局および前記子局の通信を中継する中継局とを有する通信システムであって、
前記基地局は、前記子局で音声出力により報知するために入力される音声出力用データに基づいて、文字もしくは記号、またはこれらの組合せからなるテキストデータを生成し、このテキストデータを前記中継局へ送信し、
前記中継局は、前記基地局により送信される前記テキストデータを音声データに変換し、この音声データを前記子局へ送信し、
前記子局は、前記中継局により送信される前記音声データを出力する通信システム。
【請求項２】
前記基地局は、人声データを前記音声出力用データとして入力できるマイク部を有する請求項１に記載の通信システム。
【請求項３】
前記基地局の通信エリア内に前記子局とは別の子局が設けられており、
前記基地局は、前記マイク部により入力される人声データに基づいて、前記テキストデータを生成し、このテキストデータを前記中継局へ送信するとともに、前記人声データを前記別の子局へ送信し、
前記別の子局は、前記基地局より送信される人声データを出力する請求項２に記載の通信システム。
【請求項４】
前記基地局は、文字列データを前記音声出力用データとして入力することができる操作部を有し、前記操作部により入力される文字列データを、前記テキストデータとして前記中継局へ送信する請求項１に記載の通信システム。
【請求項５】
前記基地局の通信エリア内に前記子局とは別の子局が設けられており、
前記基地局は、前記操作部により入力される文字列データを、前記テキストデータとして前記中継局へ送信するとともに、前記文字列データを第２の音声データに変換し、この第２の音声データを前記別の子局へ送信し、
前記別の子局は、前記基地局より送信される前記第２の音声データを出力する請求項４に記載の通信システム。
【請求項６】
所定の通信エリアが設定された基地局と、前記基地局の前記通信エリア外に設けられた子局と、前記基地局および前記子局の通信を中継する中継局との間で行われる通信方法であって、
前記基地局が、前記子局で音声出力により報知するために入力される音声出力用データに基づいて、文字もしくは記号、またはこれらの組合せからなるテキストデータを生成するステップと、このテキストデータを前記中継局へ送信するステップと、
前記中継局が、前記基地局により送信される前記テキストデータを音声データに変換し、この音声データを前記子局へ送信するステップと、
前記子局が、前記中継局により送信される前記音声データを出力するステップとを含む通信方法。
【請求項７】
所定の通信エリアが設定され、当該通信エリア外に設けられた子局との通信を中継局により中継される基地局であって、
前記子局で音声出力により報知するために入力される音声出力用データに基づいて、文字もしくは記号、またはこれらの組合せからなるテキストデータを生成するテキストデータ生成部と、
前記テキストデータ生成部により生成された前記テキストデータを前記中継局へ送信する送信部とを備えた基地局。
【請求項８】
所定の通信エリアが設定された基地局と、前記基地局の前記通信エリア外に設けられた子局との通信を中継する中継局であって、
文字もしくは記号、またはこれらの組合せからなり、前記子局で音声出力により報知するために前記基地局に入力される音声出力用データに基づいて生成されるテキストデータを受信する受信部と、
前記受信部により受信される前記テキストデータを変換することにより音声データを生成する音声合成部と、
前記音声合成部により生成される前記音声データを前記子局へ送信する送信部を備えた中継局。
【発明の詳細な説明】
【技術分野】
【０００１】
本発明は、例えば基地局と、子局と、基地局および子局の通信を中継する中継局とを含む通信システム等に関する。
【背景技術】
【０００２】
近年、各市町村には防災通信システムが整備されてきている。この防災通信システムの一般的な例では、行政機関に基地局が設置され、当該行政機関の管轄地区の屋外や施設内に子局が設置されている。そして、例えば、基地局は災害関連情報等の報知情報を子局へ送信し、子局は報知情報をスピーカから拡声出力する。また、子局の設置場所によっては、子局が基地局の通信エリア外に設置される場合も生じる。この場合、基地局および子局の間に中継局を設置して、基地局は中継局を介して子局へ報知情報を送信することが行われている。このとき、中継局が基地局および子局の間の通信を確実に中継できるように、例えば基地局からの受信電波のＢＥＲ（Bit Error Rate（Ratio））がエラーフリーになるような場所に中継局を設置することが必要であった。
【０００３】
なお、特許文献１には、センター局装置が子局装置に対してアナログ音声を文字メッセージ化した文字情報を伝送し、子局装置がこの文字情報に応じたアナログ音声をスピーカから出力する技術が開示されている。
【先行技術文献】
【特許文献】
【０００４】
【特許文献１】特開２００６−３２５２６５号公報
【発明の概要】
【発明が解決しようとする課題】
【０００５】
しかしながら、行政機関の管轄地区が広大な場合などのように、広域なエリアに亘り報知情報を提供したい場合には、多くの子局を基地局の通信エリア外に設置する必要が生じる。そして、基地局と当該基地局の通信エリア外に設置される子局との間の通信を中継するため、１つの基地局に対して多くの中継局を設置する必要が生じてしまい、中継局の設置費用などが増大するという問題があった。また、このような中継局数の増大に伴う問題については、特許文献１では触れられていない。
【０００６】
本発明は、このような事情を鑑みてなされたものであり、中継局の数を低減しつつ、子局にて効率よく音声出力により情報を報知することができる技術を提供する。
【課題を解決するための手段】
【０００７】
本発明の通信システムは、所定の通信エリアが設定された基地局と、前記基地局の前記通信エリア外に設けられた子局と、前記基地局および前記子局の通信を中継する中継局とを有する通信システムであって、前記基地局は、前記子局で音声出力により報知するために入力される音声出力用報知データに基づいて、文字または記号からなるテキストデータを生成し、このテキストデータを前記中継局へ送信し、前記中継局は、前記基地局により送信される前記テキストデータを音声データに変換し、この音声データを前記子局へ送信する送信し、前記子局は、前記中継局により送信される前記音声データを出力する。
【発明の効果】
【０００８】
本発明にかかる技術によれば、中継局の数を低減しつつ、子局にて効率よく音声出力により情報を報知することができる。
【図面の簡単な説明】
【０００９】
【図１】本発明の第１の実施の形態にかかる通信システムの構成を示す図である。
【図２】本発明の第１の実施の形態にかかる通信システムの構成の概要を示す図である。
【図３】本発明の第１の実施の形態にかかる通信システムの動作フローを示す図である。
【図４】本発明の第２の実施の形態にかかる通信システムの構成の概要を示す図である。
【図５】本発明の第２の実施の形態にかかる中継局の構成を示す図である。
【図６】本発明の第２の実施の形態にかかる通信システムの動作フローを示す図である。
【図７】本発明の第２の実施の形態にかかる通信システムの動作フローを示す図である。
【発明を実施するための形態】
【００１０】
＜第１の実施の形態＞
図１は、本発明の第１の実施の形態にかかる通信システム１０００の構成を示す。図２は、本発明の第１の実施の形態にかかる通信システム１０００の構成の概要を示す図である。以下の説明では、まず、図２を用いて通信システム１０００の概要を説明し、その後に図１を用いて通信システム１０００の詳細な構成を説明する。また、以下の説明では、通信システム１０００は、市町村などの防災に関する通信システムを例として示す。
【００１１】
まず、図２に基づいて、通信システム１０００の構成の概要を説明する。図２に示されるように、通信システム１０００は、少なくとも、基地局１００と、中継局２００と、子局３００とを含んで構成される。基地局１００には所定の通信エリア（以下、基地局エリアＡ１とする）が設定されており、基地局１００はこの基地局エリアＡ１内に向けて各種データを送信することができる。基地局１００は、例えば市町村等の行政機関の建屋内に設置される。なお、図示はしないが、例えば複数の子局３００が中継エリアＡ２内に配置されてもよい。
【００１２】
中継局２００は、基地局エリアＡ１内に設けられており、基地局１００および子局３００の間の通信を中継する。中継局２００は、例えば基地局エリアＡ１内の屋外に設けられる。中継局２００には所定の通信エリア（以下、中継局エリアＡ２とする）が設定されている。中継局２００は、基地局１００から送信される各種データを受信し、これを中継局エリアＡ２内に向けて送信する。
【００１３】
子局３００は、基地局エリアＡ１外であって中継局エリアＡ２内に設けられている。子局３００は、基地局１００から送信される各種データを、中継局２００を介して受信する。子局３００は、例えば中継局エリアＡ２内の施設（例えば一般家庭、集会所、学校等）や屋外に設けられる。
【００１４】
次に、図１に基づいて、通信システム１０００の構成の詳細について、具体的に説明する。図１に示されるように、基地局１００は、送信用アンテナ部１０１と、送信部１０２と、音声出力用データ入力部１０３と、電源部１０４と、制御部１０５とを含んで構成されている。
【００１５】
送信用アンテナ部１０１は送信部１０２に接続されている。送信部１０２は、制御部１０６から入力される各種データを、送信用アンテナ部１０１を介して、基地局エリアＡ１内の中継局２００に送信する。
【００１６】
音声出力用データ入力部１０３には、音声出力用データとして、最終的に子局３００で音声出力により報知するためのデータが入力される。音声出力用データ入力部１０３は、マイク部１０３ａおよび操作部１０３ｂを有している。マイク部１０３ａは音声を集音する。マイク部１０３ａは、人声が入力された場合、当該人声データを音声出力用データとして取得する。操作部１０３ｂは、例えば文字列データを音声出力用データとして入力することができるキーボードである。この操作部１０３ｂは卓上卓と呼ばれることもある。音声出力用データ入力部１０３は、操作部１０３ｂにより入力される文字列データを、音声出力用データとして取得する。
【００１７】
電源部１０４は、基地局１００内の各部に電源を供給する。制御部１０５は、基地局１００内の各部を制御する。制御部１０５は、テキストデータ生成部１０５ａを含んでいる。テキストデータ生成部１０５ａは、音声出力用データ入力部１０３で取得された音声出力用データに基づいて、文字もしくは記号、またはこれらの組合せからなるテキストデータを生成する。なお、音声出力用データ入力部１０３が、操作部１０３ｂにより入力される文字列データを、音声出力用データとして取得した場合、テキストデータ生成部１０５ａは、操作部１０３ｂにより入力される文字列データをテキストデータとする。
【００１８】
中継局２００は、受信用アンテナ部２０１と、受信部２０２と、送信用アンテナ部２０３と、送信部２０４と、電源部２０５と、制御部２０６とを含んで構成されている。
【００１９】
受信用アンテナ部２０１は、受信部２０２に接続されている。受信部２０２は、基地局１００から送信されるテキストデータを、受信用アンテナ部２０１を介して受信する。
【００２０】
送信用アンテナ部２０３は、送信部２０４に接続されている。送信部２０４は、制御部２０７から入力される各種データを、送信用アンテナ部２０３を介して、中継局エリアＡ２内の子局３００へ送信する。具体的には、後述するように、送信部２０４は、制御部２０７内の音声合成部２０７ａにより生成される音声データを子局３００へ送信する。
【００２１】
電源部２０５は、中継局２００内の各部に電源を供給する。制御部２０６は、中継局２００内の各部を制御する。制御部２０６は、音声合成部２０６ａを含んでいる。音声合成部２０６ａは、受信部２０２により受信されるテキストデータを音声変換することにより、音声データを生成する。
【００２２】
子局３００は、受信用アンテナ部３０１と、受信部３０２と、記憶部３０３と、電源部３０４と、スピーカ部３０５とを含んで構成されている。
【００２３】
受信用アンテナ部３０１は、受信部３０２に接続されている。受信部３０２は、中継局３００から送信される音声データを、受信用アンテナ部３０１を介して受信する。電源部３０３は、子局３００内の各部に電源を供給する。スピーカ部３０４は、制御部３０５の制御の下、受信部３０２により受信される音声データを出力する。制御部３０５は、中継局２００内の各部を制御する。
【００２４】
次に、本発明の第１の実施の形態にかかる通信システム１０００の動作について説明する。図３は、通信システム１０００の動作フローを示す。
【００２５】
まず、基地局１００にて、音声出力用データが入力される（ステップ（以下、単にＳと称する）１０１）。具体的には、音声出力用データ入力部１０３に、音声出力用データが入力される。音声出力用データ取得部１０３のマイク部１０３ａに人声が入力された場合、音声出力用データ取得部１０３は、マイク部１０３ａにより集音される人声データを、音声出力用データとして取得する。音声出力用データ取得部１０３の操作部１０３ｂにより文字列データが入力された場合、音声出力用データ入力部１０３は、操作部１０３ｂにより入力される文字列の信号データを、音声出力用データとして取得する。
【００２６】
次に、テキストデータ生成部１０５ａが、音声出力用データ入力部１０３で取得された音声出力用データに基づいて、テキストデータを生成する（Ｓ１０２）。
【００２７】
そして、送信部１０２は、テキストデータ生成部１０５ａにより生成されたテキストデータを、送信用アンテナ部１０１を介して、基地局エリアＡ１内の中継局２００に送信する（Ｓ１０３）。なお、基地局１００は、中継局２００に対して１対１の送受信の無線通信を行う場合、誤り訂正制御や再送信制御を行うこともできる。基地局１００が複数の中継局２００に対してテキストデータを送信する際には、基地局１００の送信部１０２は、複数の中継局２００の各々に対して、順次１対１でテキストデータを送信する。
【００２８】
中継局２００では、受信部２０２は、基地局１００から送信されるテキストデータを、受信用アンテナ部２０１を介して受信する（Ｓ２０１）。
【００２９】
次に、音声合成部２０６ａが、受信部２０２により受信されるテキストデータを音声変換することにより、音声データを生成する（Ｓ２０２）。
【００３０】
そして、送信部２０４が、音声合成部２０６ａにより生成される音声データを、送信用アンテナ部２０３を介して、中継局エリアＡ２内の子局３００へ送信する（Ｓ２０３）。
【００３１】
子局３００では、受信部３０２が、中継局３００から送信される音声データを、受信用アンテナ部３０１を介して受信する（Ｓ３０１）。そして、スピーカ部３０４が、制御部３０５の制御の下、受信部３０２により受信される音声データを出力する（Ｓ３０２）。これにより、基地局１００で入力された音声出力用データが、子局３００で音声出力により報知される。
【００３２】
以上に説明したように、本発明の第１の実施の形態における通信システム１０００は、所定の通信エリア（基地局エリアＡ１）が設定された基地局１００と、基地局エリアＡ１外に設けられた子局３００と、基地局１００および子局３００の通信を中継する中継局２００とを有する通信システムである。基地局１００は、子局３００で音声出力により報知するために入力される音声出力用報知データに基づいて、文字もしくは記号、またはこれらの組合せからなるテキストデータを生成し、このテキストデータを中継局２００へ送信する。中継局２００は、基地局１００により送信されるテキストデータを音声データに変換し、この音声データを子局３００へ送信する。子局３００は、中継局２００により送信される音声データを出力する。
【００３３】
このように、本発明の第１の実施の形態における通信システム１０００では、子局２００が基地局エリアＡ１外に設けられ、中継局２００が基地局１００および子局３００の間の通信を中継することを前提とする。そして、基地局１００から中継局２００への通信は、音声データではなく、テキストデータにより行われる。一般的には、基地局１００および中継局２００の間の通信は、音声データにより行われていたが、音声データは、テキストデータと比較してデータ容量が大きいため、データの送受信に支障をきたす可能性が高かった。また、基地局１００および中継局２００の間の通信を音声データで行う場合、基地局１００および中継局２００にて送受信が行われたか否かを確認するために、基地局１００および中継局２００の双方で、随時、送受信確認用の信号を送受信する必要があった。このため、中継局２００が基地局１００および子局３００の間の通信を確実に中継できるように、例えば基地局からの受信電波のＢＥＲがエラーフリーになるような場所に中継局を設置することが必要であった。これに対して、本発明の通信システム１０００では、基地局１００から中継局２００への通信をテキストデータにより行うことで、送信媒体のデータ量を大幅に減少させることができ、エラーが生じるのを低減することができる。また、基地局１００から中継局２００への通信をテキストデータにより行う場合、音声データによる場合と比較して、誤り訂正処理や再送信制御を行いやすい。このように、基地局１００および中継局２００の間の通信をテキストデータにより行うので、基地局１００から受信するＢＥＲがエラーフリーにならない場所であっても、中継局２００がテキストデータを確実に受信できる。したがって、基地局１００から中継局２００への通信をテキストデータにより行う場合、音声データによる場合と比較して、中継局２００を基地局１００から離れた場所に設置することができ、サービスエリアを拡張することができる。この結果、中継局２００の数を低減することができ、設備費用を低減することもできる。また、中継局２００および基地局１００の間の通信をテキストデータにより行い、中継局２００は基地局１００から送信されるテキストデータに基づいた音声データを子局３００へ送信する。このため、基地局１００および中継局２００の通信を音声データにより行う場合と比較して、子局３００は、音声データを効率よく受信し、効率よく音声出力により情報を報知することができる。以上の通り、本発明にかかる技術によれば、中継局２００の数を低減しつつ、子局３００にて効率よく音声出力により情報を報知することができる。
【００３４】
また、本発明の第１の実施の形態における通信システム１０００において、基地局１０００は、人声データを音声出力用データとして取得できるマイク部１０３ａを有する。これにより、基地局１００でマイク部１０３ａにより人声データを音声出力用データとして取得できる。
【００３５】
また、本発明の第１の実施の形態における通信システム１０００において、基地局１００は、文字列データを音声出力用データとして入力できる操作部１０３ｂを有している。また、基地局１００は、操作部１０３ｂにより入力される文字列データをテキストデータとして中継局３００へ送信する。これにより、基地局１００で操作部１０３ｂにより入力される文字列データを音声出力用データとして取得でき、操作部１０３ｂにより入力される文字列データをテキストデータとして中継局３００へ送信できる。
【００３６】
本発明の第１の実施の形態における基地局１００は、所定の通信エリア（基地局エリアＡ１）が設定され、当該基地局エリアＡ１外に設けられた子局３００との通信を中継局２００により中継される。この基地局１００は、少なくとも、テキストデータ生成部１０５ａと送信部１０２とを有する。テキストデータ生成部１０５ａは、子局３００で音声出力により報知するために入力される音声出力用データに基づいて、文字もしくは記号、またはこれらの組合せからなるテキストデータを生成する。送信部１０２は、テキストデータ生成部１０５ａにより生成されたテキストデータを中継局２００へ送信する。このように、基地局１００は、中継局２００との間の通信を音声データではなく、テキストデータにより行っているので、上述した通信システム１０００と同様の効果を奏する。
【００３７】
本発明の第１の実施の形態における中継局２００は、所定の通信エリア（基地局エリアＡ１）が設定された基地局１００と、基地局１００の基地局エリアＡ１外に設けられた子局３００との通信を中継する。この中継局２００は、少なくとも、受信部２０２と音声合成部２０６ａと送信部２０４を有する。受信部２０２は、文字もしくは記号、またはこれらの組合せからなり、子局３００で音声出力により報知するために基地局１００に入力される音声出力用データに基づいて生成されるテキストデータを受信する。音声合成部２０６ａは、受信部２０２により受信されるテキストデータを変換することにより音声データを生成する。そして、送信部２０４は、音声合成部２０６ａにより生成される音声データを子局３００へ送信する。このように、中継局２００は基地局との間の通信を音声データではなく、テキストデータにより行っているので、上述した通信システム１０００と同様の効果を奏する。
【００３８】
＜第２の実施の形態＞
図４は、本発明の第２の実施の形態にかかる通信システム１０００Ａの構成の概要を示す。図２および図４を対比すると、図２では、基地局１００は基地局エリアＡ１内にて中継局２００のみにデータを送信するのに対して、図４では、基地局１００Ａは基地局エリアＡ１にて中継局２００および子局４００にデータを送信する点で、両者は互いに相違する。なお、基地局エリアＡ１内の子局４００は、中継エリアＡ２内の子局３００とは別の装置であるが、子局３００および子局４００の両者は同じ構成を有する。また、後述するように、図４の基地局１００Ａの一部の構成は、図１および図２の基地局１００と異なる。
【００３９】
図４に示されるように、基地局エリアＡ１内には、基地局１００Ａ、中継局２００および子局４００が設けられている。また、中継局エリアＡ２内には、中継局２００と、基地局エリアＡ１内の子局３００とは別の子局４００が設けられている。基地局１００Ａは、第１の実施の形態の説明と同様に、中継局２００を介して中継局エリアＡ２内の子局３００へデータを送信する他に、基地局エリアＡ１内に設けられた別の子局４００にもデータを送信する。
【００４０】
図５は、本発明の第２の実施の形態にかかる基地局１００Ａの構成を示す図である。図５において、図１で示した構成と同等の構成に対しては、図１と同一の符号を付している。図５と図１の基地局１００とを対比すると、図１では、制御部１０５はテキストデータ生成部１０５ａしか有していないのに対して、図５では、制御部１０５Ａはテキストデータ生成部１０５ａに加え、さらに音声合成部１０５ｂを有している点で、両者は互いに相違する。以下の説明では、図１で示した構成と同等の構成については、説明を省略する。
【００４１】
音声合成部１０５ｂは、テキストデータ生成部１０５ａにより生成されるテキストデータを音声変換することにより、音声データを生成する。具体的には、音声出力用データ入力部１０３が、操作部１０３ｂにより入力される文字列データを、音声出力用データとして取得した場合は、次のように処理される。すなわち、テキストデータ生成部１０５ａは、操作部１０３ｂにより入力される文字列データを、テキストデータとする。そして、音声合成部１０５ｂが、このテキストデータを音声変換することにより、音声データ（音声合成部２０６ａが生成する音声データを区別するため、ここでは、第２の音声データとする。）を生成する。一方、音声出力用データ入力部１０３が、マイク部１０３ａにより入力される人声データを、音声出力用データとして取得した場合、音声合成部１０５ａは機能しない。
【００４２】
次に、本発明の第２の実施の形態にかかる通信システム１０００Ａの動作について説明する。図６および図７は、通信システム１０００Ａの動作フローを示す。図６は、音声出力用データ入力部１０３が、操作部１０３ｂにより入力される文字列データを、音声出力用データとして取得した場合の動作フローである。図７は、音声出力用データ入力部１０３が、マイク部１０３ａにより入力される人声データを、音声出力用データとして取得した場合の動作フローである。以下、図６および図７に基づいて、それぞれの例について説明する。なお、図６および図７において、図３と重複するステップについては、同一の符号を付し、詳しい説明を省略する。
【００４３】
まず、音声出力用データ入力部１０３が、操作部１０３ｂにより入力される文字列データを、音声出力用データとして取得した場合の動作フローを図６に基づいて説明する。
【００４４】
基地局１００Ａでは、操作部１０３ｂにより入力される文字列データが音声出力用データとして入力されると（Ｓ１０１）、テキストデータ生成部１０５ａが、操作部１０３ｂにより入力された文字列データをテキストデータとする（Ｓ１０２）。
【００４５】
そして、送信部１０２は、テキストデータ生成部１０５ａにより生成されたテキストデータを、送信用アンテナ部１０１を介して、基地局エリアＡ１内の中継局２００に送信し（Ｓ１０３）、以降、中継局２００がＳ２０１〜Ｓ２０３の処理を行い、中継局エリアＡ２内の子局３００がＳ３０１〜Ｓ３０２の処理を行う。これにより、基地局１００Ａで入力された音声出力用データが、子局３００で音声出力により報知される。
【００４６】
また、基地局１００Ａでは、Ｓ１０３の処理と併せて、音声合成部１０５ｂが、テキストデータ生成部１０５ａにより生成されるテキストデータを音声変換することにより、第２の音声データを生成する（Ｓ１０４）。そして、送信部１０２が、送信用アンテナ１０１を介して、音声合成部１０５ｂにより生成された第２の音声データを基地局エリアＡ１内の子局４００へ送信する（Ｓ１０５）。
【００４７】
次に、子局４００では、受信部３０２が、基地局１００Ａから送信される第２の音声データを、受信用アンテナ部３０１を介して受信する（Ｓ４０１）。そして、スピーカ部３０４が、制御部３０５の制御の下、受信部３０２により受信される第２の音声データを出力する（Ｓ４０２）。これにより、基地局１００Ａで入力された音声出力用データが、子局４００で音声出力により報知される。
【００４８】
以上説明したように、本発明の第２の実施の形態における通信システム１０００Ａにおいて、子局３００とは別の第２の子局４００が基地局１００の通信エリア（基地局エリアＡ１）内に設けられている。基地局１００Ａは、操作部１０３ｂにより入力される文字列データをテキストデータとし、このテキストデータを中継局２００へ送信する。これとともに、基地局１００Ａは、文字列データを第２の音声データに変換し、この第２の音声データを第２の子局４００へ送信する。そして、第２の子局４００は、基地局１００Ａより送信される第２の音声データを出力する。
【００４９】
これにより、基地局１００にて音声出力用データとして文字列データを入力するという一挙動の操作だけで、通信エリア外の子局３００と通信エリア内の子局４００の双方で、基地局１００Aに入力されるデータを音声出力により報知できる。
【００５０】
次に、音声出力用データ入力部１０３が、マイク部１０３ａにより入力される人声データを、音声出力用データとして取得した場合の動作フローを図７に基づいて説明する。
【００５１】
基地局１００Ａでは、マイク部１０３ａにより入力される人声データが音声出力用データとして入力されると（Ｓ１０１）、テキストデータ生成部１０５ａが、音声出力用データ入力部１０３で取得された音声出力用データに基づいて、テキストデータを生成する（Ｓ１０２）。
【００５２】
そして、送信部１０２は、テキストデータ生成部１０５ａにより生成されたテキストデータを、送信用アンテナ部１０１を介して、基地局エリアＡ１内の中継局２００に送信し（Ｓ１０３）、以降、中継局２００がＳ２０１〜Ｓ２０３の処理を行い、中継局エリアＡ２内の子局３００がＳ３０１〜Ｓ３０２の処理を行う。これにより、基地局１００Ａで入力された音声出力用データが、子局３００で音声出力により報知される。
【００５３】
また、基地局１００Ａでは、Ｓ１０３の処理と併せて、送信部１０２が、送信用アンテナ１０１を介して、音声出力用データ入力部１０３で取得された人声データを音声データとして基地局エリアＡ１内の別の子局４００へ送信する（Ｓ１０５）。なお、図６を用いて上述した場合のように、Ｓ１０４の処理は行わない。
【００５４】
次に、別の子局４００では、受信部３０２が、基地局１００Ａから送信される音声データを、受信用アンテナ部３０１を介して受信し（Ｓ４０１）、スピーカ部３０４が、受信部３０２により受信される音声データを出力する（Ｓ４０２）。これにより、基地局１００Ａで入力された音声出力用データが、子局４００で音声出力により報知される。
【００５５】
以上説明したように、基地局１００Ａは、マイク部１０３ａに入力される人声データに基づいてテキストデータを生成し、このテキストデータを中継局２００へ送信する。これとともに、基地局１００Ａは、マイク部１０３ａに入力される人声データを、子局３００とは別の子局４００へ送信する。そして、子局４００は、基地局１００Ａより送信される人声データを出力する。
【００５６】
これにより、基地局１００にて音声出力用データとして人声データを入力するという一挙動の操作だけで、通信エリア外の子局３００と通信エリア内の子局４００の双方で、基地局１００Aに入力されるデータを音声出力により報知できる。
【００５７】
以上、実施の形態をもとに本発明を説明した。実施の形態は例示であり、本発明の主旨から逸脱しない限り、上述各実施の形態に対して、さまざまな変更、増減、組合せを加えてもよい。これらの変更、増減、組合せが加えられた変形例も本発明の範囲にあることは当業者に理解されるところである。
【００５８】
上記実施の形態では、市町村などの防災に関する通信システムを例として説明した。しかしながら、本発明は、市町村などの防災に関する通信システムに限らず、例えば防犯用のシステムや行政に関する情報を通知するためのシステムなどであってもよい。
【符号の説明】
【００５９】
１００、１００Ａ  基地局
１０１  送信用アンテナ部
１０２  送信部
１０３  音声出力用データ入力部
１０３ａ  マイク部
１０３ｂ  操作部
１０４  電源部
１０５、１０５Ａ  制御部
１０５ａ  テキストデータ生成部
１０５ｂ  音声合成部
２００  中継局
２０１  受信用アンテナ部
２０２  受信部
２０３  送信用アンテナ部
２０４  送信部
２０５  電源部
２０６  制御部
２０６ａ  音声合成部
３００、４００  子局
３０１  受信用アンテナ部
３０２  受信部
３０３  電源部
３０４  スピーカ部
３０５  制御部
【図１】
0005724618.tif 000002
【図２】
0005724618.tif 000003
【図３】
0005724618.tif 000004
【図４】
0005724618.tif 000005
【図５】
0005724618.tif 000006
【図６】
0005724618.tif 000007
【図７】
0005724618.tif 000008